(57)【要約】【課題】外部加熱部材５３、５４から定着部材４０の表面に与える熱量を瞬時に調整する外部加熱部材当接制御手段を設けることにより、厚紙の生産性を大幅に向上させることが可能であるとともに、カラー画像のグロス変動（光沢むら）がない高画質のカラー画像を得ることが可能な定着装置を提供する。【解決手段】外部加熱部材５３、５４が定着部材４０に当接することにより、定着部材の圧接部温度が上昇をしている最中に記録材先端が定着部材の圧接部Ｎに搬送される外部加熱部材当接制御手段を設けることにより、外部加熱部材５３、５４から定着部材４０の表面に与える熱量を調整することができ、厚紙の生産性を大幅に向上させることが可能であるとともに、カラー画像のグロス変動（光沢むら）がない高画質のカラー画像を得ることが可能な定着装置を提供できるようになる。【選択図】図３
2005316421.tif 000002
【特許請求の範囲】
【請求項１】
記録材上のトナー像をニップ部にて熱定着する第１及び第２の定着回転体と、前記第１の定着回転体に当接して外面を加熱する第１及び第２の加熱部材と、を有する定着装置において、
定着動作開始時、前記第１の定着回転体に対し前記第１の加熱部材と前記第２の加熱部材を順次当接させることを特徴とする定着装置。
【請求項２】
前記第１の加熱部材により前記第１の定着回転体が所定温度上昇する前に前記ニップ部へ記録材が突入するように構成すると共に、記録材により前記第１の定着回転体が所定温度降下する前に前記第２の加熱部材を当接させることを特徴とする請求項１の定着装置。
【請求項３】
記録材上のトナー像をニップ部にて熱定着する第１及び第２の定着回転体と、前記第１の定着回転体に当接して外面を加熱する第１及び第２の加熱部材と、を有する定着装置において、
定着動作開始時、前記第１の定着回転体に対する前記第１の加熱部材と前記第２の加熱部材の当接圧を順次大きくすることを特徴とする定着装置。
【請求項４】
前記第１の加熱部材により前記定着回転体が所定温度上昇する前に前記ニップ部へ記録材が突入するように構成すると共に、記録材により前記定着回転体が所定温度降下する前に前記第２の加熱部材の当接圧を大きくすることを特徴とする請求項３の定着装置。
【発明の詳細な説明】
【技術分野】
【０００１】
本発明は、電子写真方式や静電記録方式を採用したプリンタ、複写機、ファクシミリ等に用いられる定着装置に関する。
【背景技術】
【０００２】
従来、種々の画像形成装置が知られているが、その中でも感光体にレーザ光で像露光を行い、それを現像して画像を得る電子写真方式の画像形成装置が一般に普及している。このような画像形成装置は、画像品質が高く、高速である等の長所を持っており、例えば、複写機等の出力装置、カラーレーザビームプリンタ等として広く用いられている。
【０００３】
そして、これらの複写機やカラーレーザビ−ムプリンタ等のカラー画像形成装置においては、厚紙などのいろいろな用紙（記録材）での高い生産性（単位時間あたりのプリント枚数）が求められてきている。
【０００４】
ところで、上記電子写真方式を適用した画像形成装置において、高い生産性、特に坪量の大きな用紙での生産性を上げるため、定着装置の定着スピードを高速化する必要がある。しかし、坪量が大きい用紙では、熱が多く奪われるため、定着に要する熱量が、薄い紙に定着する場合に比べて大幅に多く、坪量の大きい紙に定着する際に、定着スピードを落として、定着処理を施しているのが現状である。
【０００５】
そこで、カラー画像の定着スピードを向上させることが可能な技術として、特許文献１や特許文献２の定着装置構成が既に提案されている。
【０００６】
すなわち、特許文献１に係る画像加熱定着装置は、互いに圧接しながら回転可能に配設された定着部材対を有し、該定着部材対が形成するニップ部で未定着画像を形成した記録材を挟持搬送して該記録材上の未定着画像の加熱定着を行う画像加熱定着装置において、前記定着部材対に対して一つ以上の外部加熱部材を当接／退避可能に構成したものである。
【０００７】
また特許文献２に係る外部加熱装置及びこれを用いた定着装置は、被加熱部材の表面に圧接し、被加熱部材の表面を外部から加熱する複数本の外部加熱ロ−ルを備えた外部加熱装置において、複数本の外部加熱ロ−ルを被加熱部材の表面に圧接及び離間させる接離手段と、複数本の外部加熱ロ−ルを被加熱部材の表面に均一に圧接する調整手段を設けたものである。
【特許文献１】特開平１０−１４９０４４号公報
【特許文献２】特開２００４−３７５５５号公報
【発明の開示】
【発明が解決しようとする課題】
【０００８】
しかし、上記従来技術の場合には、次のような問題点を有している。すなわち、特許文献１、特許文献２等に係る定着装置の場合には、記録材（以下、転写紙と記す）が厚紙であっても薄紙と略同等の高い生産性を実現するため、外部加熱ロールの熱量を大きくし、外部加熱ロ−ルから被加熱部材の表面に与える熱量を大きくすることが考えられる。しかし、単純に外部加熱ロ−ルの熱量を大きくしただけでは、転写紙を定着装置により定着させる際に、転写紙が定着部に入る前に外部加熱ロ−ルから被加熱部材の表面に大きな熱量を与えてしまうと、被加熱部材の表面温度が高くなりすぎて、転写紙上のトナ−を溶かしすぎることにより、トナ−グロス（光沢）が高くなりすぎてしまう。そのため、外部加熱の温調温度や被加熱部材の温調温度で制御しようとしても、外部加熱ロ−ラや被加熱部材の熱応答性が悪いために上記問題は解決できない。
【０００９】
また、転写紙が定着部に入った後に外部加熱ロ−ルから被加熱部材の表面に熱量を与えようとすると、転写紙が被加熱部材の熱量をうばうことにより被加熱部材の温度が下がりすぎて、転写紙上のトナ−を溶かすことができず、トナ−グロス（光沢）が低くなり、トナ−グロス段差（光沢むら）ができてしまう。そのため、被加熱部材である定着ロールの表面を外部加熱ロールによって効果的に加熱することができず、高い生産性を実現することができなかったり、カラー画像のグロス変動（光沢むら）ができてしまうことで高画質のカラー画像が得られないという問題点を有している。
【００１０】
また、上記問題点を解決するためには、転写紙が定着部に入った瞬間に外部加熱ロ−ルから被加熱部材の表面に熱量を与えるようにすればよいが、外部加熱ロ−ラの被加熱部材に対する着タイミングずれ（当接着タイミングずれ）と転写紙の定着部に入るタイミングずれとを考慮すると、転写紙が定着部に入るタイミングと外部加熱ロ−ルから被加熱部材の表面に熱量を与えるタイミングとを合わせることが不可能である。例えば、複写機の高生産を求め、７０ＣＰＭの生産性をだすために、転写紙搬送速度を３００ｍｍ／ｓｅｃで搬送する場合には、外部加熱ロ−ラの着タイミングずれをモ−タ−などの応答性を考慮して１００ｍｓｅｃとし、転写紙の定着部に入るタイミングずれを搬送速度誤差を考慮して２００ｍｓｅｃとすると、約３００ｍｓｅｃのタイミンスずれが生じてしまい、距離にすると９０ｍｍのずれが生じてしまう。
【００１１】
そこで、本発明は、上記従来技術の問題点を解決するためになされたものであり、その目的とするところは、外部加熱ロール等の外部加熱部材から加熱定着ロール等の定着部材（被加熱部材）の表面に与える熱量を瞬時に調整することができ、記録材が厚紙である場合でも生産性を大幅に向上させることが可能であるとともに、カラー画像のグロス変動（光沢むら）がない高画質のカラー画像を得ることが可能な定着装置を提供することにある。
【課題を解決するための手段】
【００１２】
本発明は下記の構成を特徴とする定着装置である。
【００１３】
（１）記録材上のトナー像をニップ部にて熱定着する第１及び第２の定着回転体と、前記第１の定着回転体に当接して外面を加熱する第１及び第２の加熱部材と、を有する定着装置において、定着動作開始時、前記第１の定着回転体に対し前記第１の加熱部材と前記第２の加熱部材を順次当接させることを特徴とする定着装置。
【００１４】
（２）前記第１の加熱部材により前記第１の定着回転体が所定温度上昇する前に前記ニップ部へ記録材が突入するように構成すると共に、記録材により前記第１の定着回転体が所定温度降下する前に前記第２の加熱部材を当接させることを特徴とする（１）の定着装置。
【００１５】
（３）記録材上のトナー像をニップ部にて熱定着する第１及び第２の定着回転体と、前記第１の定着回転体に当接して外面を加熱する第１及び第２の加熱部材と、を有する定着装置において、定着動作開始時、前記第１の定着回転体に対する前記第１の加熱部材と前記第２の加熱部材の当接圧を順次大きくすることを特徴とする定着装置。
【００１６】
（４）前記第１の加熱部材により前記定着回転体が所定温度上昇する前に前記ニップ部へ記録材が突入するように構成すると共に、記録材により前記定着回転体が所定温度降下する前に前記第２の加熱部材の当接圧を大きくすることを特徴とする（３）の定着装置。
【発明の効果】
【００１７】
すなわち、複数の外部加熱部材を具備させた定着装置において、個々の外部加熱部材の定着回転体に対する当接タイミングをそれぞれずらすことにより、あるいは個々の外部加熱部材の定着回転体に対する当接圧を可変にすることにより、外部加熱部材から定着回転体の表面に与える熱量を調整することができ、外部加熱部材の熱容量を大きくすることが可能になり、記録材が厚紙である場合でも生産性を大幅に向上させることが可能であるとともに、カラー画像のグロス変動がない高画質のカラー画像を得ることが可能な定着装置を提供できるようになる。
【発明を実施するための最良の形態】
【００１８】
【実施例１】
【００１９】
（１）画像形成装置例
図１は画像形成装置の一例の概略構成模型図である。本例の画像形成装置は転写式電子写真プロセスを用いた、タンデムタイプのカラーレーザプリンタである。
【００２０】
この画像形成装置内には第１、第２、第３、第４の４つの画像形成部Ｐａ、Ｐｂ、Ｐｃ、Ｐｄが併設され、各々異なった色のトナー像が潜像、現像、転写のプロセスを経て形成される。
【００２１】
各画像形成部Ｐａ、Ｐｂ、Ｐｃ、Ｐｄは、それぞれ専用の像担持体、本例では電子写真感光ドラム３ａ、３ｂ、３ｃ、３ｄを具備し、各感光ドラム３ａ、３ｂ、３ｃ、３ｄ上に各色のトナー像が形成される。各感光ドラム３ａ、３ｂ、３ｃ、３ｄに隣接して中間転写体（中間転写ベルト）１３０が設置され、感光ドラム３ａ、３ｂ、３ｃ、３ｄ上に形成された各色のトナー像が、中間転写体１３０上に１次転写され、２次転写部で記録材Ｐ上に転写される。さらにトナー像が転写された記録材Ｐは、定着装置９で加熱及び加圧によりトナー像が定着されて記録画像形成物として装置外の排紙トレイ６に排出される。
【００２２】
感光ドラム３ａ、３ｂ、３ｃ、３ｄの外周には、それぞれドラム帯電器２ａ、２ｂ、２ｃ、２ｄ、現像器１ａ、１ｂ、１ｃ、１ｄ、１次転写帯電器２４ａ、２４ｂ、２４ｃ、２４ｄ及びクリーナ４ａ、４ｂ、４ｃ、４ｄが設けられ、装置の上方部にはさらにレーザスキャナ５ａ、５ｂ、５ｃ、５ｄが設置されている。
【００２３】
感光ドラム３ａ、３ｂ、３ｃ、３ｄは矢印の反時計方向に回転駆動され、その周面がドラム帯電器２ａ、２ｂ、２ｃ、２ｄにより所定の極性・電位に一様に１次帯電される。その各感光ドラム３ａ、３ｂ、３ｃ、３ｄの一様帯電面に対してレーザスキャナ５ａ、５ｂ、５ｃ、５ｄから出力される、画像信号に応じて変調されたレーザ光による走査露光がなされて、各感光ドラム３ａ、３ｂ、３ｃ、３ｄ上に画像信号に応じた潜像が形成される。すなわち、レーザスキャナ５ａ、５ｂ、５ｃ、５ｄは、それぞれ、光源装置、ポリゴンミラー等が設置されていて、光源装置から発せられたレーザ光をポリゴンミラーを回転して走査し、その走査光の光束を反射ミラーによって偏向し、ｆθレンズにより感光ドラム３ａ、３ｂ、３ｃ、３ｄの母線上に集光して露光Ｌａ、Ｌｂ、Ｌｃ、Ｌｄすることにより、感光ドラム３ａ、３ｂ、３ｃ、３ｄ上に画像信号に応じた潜像が形成される。
【００２４】
現像器１ａ、１ｂ、１ｃ、１ｄには、現像剤としてそれぞれシアン、マゼンタ、イエロー及びブラックのトナーが、図示しない供給装置により所定量充填されている。現像器１ａ、１ｂ、１ｃ、１ｄは、それぞれ感光ドラム３ａ、３ｂ、３ｃ、３ｄ上の潜像を現像して、シアントナー像、マゼンタトナー像、イエロートナー像及びブラックトナー像として可視化する。
【００２５】
中間転写体１３０は３本の並行ローラ１３、１４、１５間に懸回張設されていて、矢示の時計方向に感光ドラム３ａ、３ｂ、３ｃ、３ｄと同じ周速度をもって回転駆動されている。
【００２６】
第１の画像形成部Ｐａの感光ドラム３ａ上に形成担持された上記第１色のイエロートナー画像は、感光ドラム３ａと中間転写体１３０とのニップ部を通過する過程で、中間転写体１３０に印加される１次転写バイアスにより形成される電界と圧力により、中間転写体１３０の外周面に１次転写されていく。
【００２７】
以下、同様に、第２、第３、第４の画像形成部Ｐｂ、Ｐｃ、Ｐｄの感光ドラム３ｂ、３ｃ、３ｄ上に形成担持された、第２色のマゼンタトナー画像、第３色のシアントナー画像、第４色のブラックトナー画像が順次に中間転写体１３０上に重畳転写され、中間転写体１３０上に目的のカラー画像に対応した合成カラートナー画像が形成される。
【００２８】
１１は２次転写ローラであり、中間転写体１３０を懸回張設させた３本のローラ１３・１４・１５のうちのローラ１４に対して中間転写体１３０を挟ませて圧接させて中間転写体１３０との間に２次転写ニップ部を形成している。
【００２９】
一方、記録材Ｐは給紙カセット１０から１枚分離給紙されて、記録材搬送手段としてのレジストローラ１２にて所定の時間待機させられた後に中間転写体上の画像と位置が合うように所定のタイミングで搬送開始される。そして、記録材は転写前ガイドを通過して中間転写体１３０と２次転写ローラ１１との当接ニップである２次転写ニップ部に所定のタイミングで給送され、バイアス電源から印加された２次転写バイアスにより、中間転写体１３０上に重畳転写された合成カラートナー画像が記録材Ｐへ一括して２次転写される。
【００３０】
２次転写ニップ部にて合成カラートナー画像の転写を受けた記録材Ｐは中間転写体１３０から分離されて定着装置９へ順次導入され、記録材に熱と圧力を加えることでトナー像が定着される。
【００３１】
１次転写が終了した感光ドラム３ａ、３ｂ、３ｃ、３ｄは、それぞれのクリーナ４ａ、４ｂ、４ｃ、４ｄにより転写残トナーをクリーニング、除去され、引き続き次の潜像の形成以下に備えられる。
【００３２】
転写ベルト１３０上に残留したトナー及びその他の異物は、転写ベルト１３０の表面にクリーニングウエブ（不織布）１９を当接して、拭い取るようにしている。
【００３３】
両面コピーモードが選択されている場合には、定着装置９を出た第１面側画像形成済みの記録材Ｐがフラッパ１６により再循環搬送機構側のシートパス１７側に導入され、さらにスイッチバックシートパス１８内に入り、次いで該シートパス１８から引き出し搬送されて再搬送シートパス１９に誘導され、該シートパス１９からレジストローラ１２、転写前ガイドを通過して中間転写体１３０と２次転写ローラ１１との当接ニップである２次転写ニップ部に表裏反転状態で所定のタイミングで再導入される。これにより、記録材Ｐの第２面側に対して、中間転写体１３０上のトナー画像の２次転写がなされる。２次転写ニップ部にて第２面に対するトナー画像の２次転写を受けた転写材Ｐは中間転写体１３０から分離されて定着装置９へ再導入され、トナー画像の定着処理を受けて両面コピーとして装置外の排紙トレイ６に排出される。
【００３４】
以上のように、カラー画像は、多色のトナーが２層〜４層の層を形成しているため、カラー画像形成の可能な電子写真画像形成装置においては、トナーについて白黒用の装置とは異なった特徴を有している。
【００３５】
つまり、このトナーには、熱を印加した際の溶融性、混色性が良いことが要求されるため、軟化点が低く、且つ溶融粘度の低いシャープメルト性のトナーが使用される。このシャープメルトトナーを使用することにより、複写物の色再現範囲の広いカラーコピーを得ることが出来る。
【００３６】
このようなシャープメルトトナーは、例えば、ポリエステル樹脂またはスチレン−アクリルエステル樹脂等のような結着樹脂、着色剤（染料、昇華性染料）、荷電制御剤等のトナー形成用材料を溶融混練、粉砕、分級することにより製造される。
【００３７】
（２）画像加熱定着装置９
次に、画像加熱定着装置９の構成について図２を用いて詳細に説明する。この画像加熱定着装置９は、内部に発熱手段であるハロゲンヒータ４０ａを有する、第１の定着部材（定着回転体）となる定着ローラ４０と、同じく内部に発熱手段であるハロゲンヒータ４１ａを有する、第２の定着部材（加圧回転体）となる加圧ローラ４１とが、図示しない加圧機構によって総圧力約７８４Ｎ（約８０ｋｇ）で互いに圧接しながら回転可能に配置された定着部材対として構成されている。Ｎが定着ローラ４０と加圧ローラ４１との圧接で形成される定着ニップ部である。定着ローラ４０と加圧ローラ４１は不図示の駆動系により矢印の方向に回転駆動される。
【００３８】
定着ローラ４０及び加圧ローラ４１には温度検知手段であるサーミスタ４２ａ，４２ｂが当接されており、該サーミスタ４２ａ，４２ｂによって定着ローラ４０及び加圧ローラ４１の温度を検知し、この検知情報に基づいて制御装置４３によりハロゲンヒータ４０ａ，４１ａを制御して、定着ローラ４０及び加圧ローラ４１の温度を共に約１６５℃に一定に維持するように制御することにより、記録材Ｐ上に転写されたシャープメルトトナー等の現像剤で形成された未定着画像ｔが定着ローラ４０と加圧ローラ４１との定着ニップ部Ｎを通過して加熱、加圧されて記録材Ｐ上に定着されるようになっている。
【００３９】
記録材Ｐ上に形成されるシャープメルト性のカラートナーは、親和力が大きく、定着ローラ４０にオフセットし易いという性質も有しているため、長時間に亘って高い離型性を示すことが必要となる。そこで、定着ローラ４０の外周近傍に離型剤塗布手段となるオイル塗布装置４４及び該定着ローラ４０のオイルや汚れを除去するクリーニング装置４５を備え、加圧ローラ４１の外周近傍に該加圧ローラ４１のオイルや汚れを除去するクリーニングブレード４６を備えることでより一層の離型性の向上を図っている。
【００４０】
オイル塗布装置４４は、オイルパン４７内のジメチルシリコーンオイル４７ａ（信越化学製ＫＦ９６，３００ｃｓ）をオイル汲み上げローラ４８及びオイル塗布ローラ４９を経由させてオイル塗布量調整ブレード５０でオイル塗布量を規制して定着ローラ４０の外周表面上に塗布させるものである。
【００４１】
尚、オイル塗布ローラ４９は、定着ローラ４０に接離可能であり、記録材Ｐの先端から５ｍｍの位置から後端から５ｍｍの位置に対応する定着ローラ展開面長に亘ってオイルを塗布するようになっている。
【００４２】
前記定着ローラ４０は、アルミニウム製の芯金４０ｂの外周に弾性層としてのＨＴＶ（高温加硫型）シリコーンゴム層４０ｃが設けられ、更に該ＨＴＶシリコーンゴム層４０ｃの外周に耐熱弾性層としてＲＴＶ（室温加硫型）シリコーンゴム層４０ｄが設けられ、厚さ３ｍｍ、直径６０［ｍｍ］で構成されている。
【００４３】
一方、加圧ローラ４１は、アルミニウム製の芯金４１ｂの外周に弾性層としての１ｍｍ厚のＨＴＶシリコーンゴム層４１ｃが設けられ、更に該ＨＴＶシリコーンゴム層４１ｃの外周にフッ素樹脂層４１ｄが設けられ、直径６０ｍｍで構成されている。
【００４４】
上記のような構成の定着ローラ４０及び加圧ローラ４１を組み合わせることによってシャープメルトトナーに対する離型性をより一層高めている。
【００４５】
また、近年は、カラー複写機の普及と共に、カラーにも白黒複写機並の高速度と、便利さ、即ち、自動両面コピー、或いは葉書からラージサイズまでの紙の使用、薄紙から厚紙、更にはＯＨＰフィルムやパックプリントフィルムの使用等様々のニーズに応えることが必要となってきた。
【００４６】
そこで、両面画像を定着させるために、定着ローラ４０だけでなく加圧ローラ４１の表層にもトナー離型効果の高いＲＴＶまたはＬＴＶ（低温加硫型）シリコーンゴムを用いたり、また、同時にカラー定着の高速性を満足するためにローラの大径化（例えば８０ｍｍの径）を図って定着ニップ部Ｎを大きくし、更に厚紙等を使用するために、定着温度を上昇させて定着性の向上を図っている。
【００４７】
また、本来、離型性を保つために使用される表層のシリコーンゴム及びシャープメルトトナーを包み込むような定着ニップ部Ｎを形成するための下層のシリコーンゴムは、双方とも使用されるシリコーンオイルと非常に馴染みの良いものであるため、耐久に応じてシリコーンゴム中にシリコーンオイルが大量に入り込み、特に最下層のシリコーンゴムがシリコーンオイルを大量に含んで、加熱時に芯金境界面との間に剥れが生じる虞がある。そこで、高速で大量のコピーをとることが要求される複写機においては、この剥れを防止するために、定着ローラ４０及び加圧ローラ４１の双方ともに下層シリコーンゴムと表層シリコーンゴムとの間にシリコーンオイルを吸収、通過させることのない耐油層としてのフッ素ゴムを積層するのが好ましい。
【００４８】
（２−１）外部加熱部材
次に本発明の特徴である外部加熱部材の構成について説明する。図２に示すように、定着ローラ４０の外周面には、外部加熱部材となる第１と第２の２つの外部加熱ローラ５３、５４が定着ローラ４０の回転方向上流側と下流側とに並置させて、かつ定着ローラ４０に対して当接／退避可能に構成されている。当接／退避機構は後述する。
【００４９】
外部加熱ロ−ラ５３，５４は、定着時に記録材に奪われる熱量に対し、定着ロ−ラ表面のゴム層の熱伝導性が低いため定着ロ−ラヒ−タ４０ａからの熱応答が間に合わないために定着ロ−ラ表面温度を一定に保つことを目的として設けられている。また、装置の高速化を実現するために外部加熱ロ−ラ５３，５４から定着ロ−ラ表面に与える熱量を増やすために、外部加熱ロ−ラを２本設けてある。
【００５０】
前記外部加熱ローラ５３、５４は、内部にハロゲンヒータ５３ａ、５４ａが内蔵されており、その外周には、例えば、熱伝導率の高いアルミニウム、鉄、ステンレス等の金属、或いは高離型性を持つゴム、樹脂等を前記金属表面にコートして構成される。そして、この外部加熱ローラ５３，５４は高耐熱性を有した断熱ブッシュによって両端で保持されている。
【００５１】
定着ローラ４０、加圧ローラ４１、第１及び第２の外部加熱ローラ５３，５４には、夫々、温度検知手段としてのサーミスタ４２ａ，４２ｂ，４２ｃ，４２ｄが当接して配置されており、該サーミスタ４２ａ，４２ｂ，４２ｃ，４２ｄによって各ローラ４０，４１，５３，５４の表面温度が検知される。そして、定着動作時には、この温度情報によって制御装置４３がハロゲンヒータ４０ａ，４１ａ，５３ａ，５４ａへの供給電力を制御して各ローラ４０，４１，５３，５４の温度調整が行われる構成となっている。
【００５２】
その温調の一例として、第１の外部加熱ローラ５３が定着部材対である定着ローラ４０及び加圧ローラ４１よりも高温になるように設定され、例えば、外部加熱ローラ５３，５４が２３０℃、定着ローラ４０及び加圧ローラ４１が１６５℃に設定される。
【００５３】
即ち、制御装置４３は、定着部材である定着ローラ４０・加圧ローラ４１の温度を制御する第１の制御手段と、複数の外部加熱部材である第１の外部加熱ローラ５３及び第２の外部加熱ローラ５４の温度を制御する第２の制御手段と、を有し、第２の制御手段による第１の外部加熱ローラ５３及び第２の外部加熱ローラ５４の目標温度を第１の制御手段による定着ローラ４０・加圧ローラ４１の目標温度よりも高い構成とされている。
【００５４】
なお、外部加熱ローラ５３，５４の温度が定着部材である定着ローラ４０の温度よりも高温に保たれていた方が、定着ローラ４０の表面温度の記録材による降下に対してレスポンス（熱の感応精度）良く外部加熱ローラ５３，５４から定着ローラ４０に熱が供給されるために外部加熱ロ−ラ５３，５４の温度を定着ロ−ラ４０・加圧ロ−ラ４１より７５℃高く設定している。
【００５５】
（２−２）外部加熱部材の加圧構成
次に、外部加熱部材５３，５４の定着ローラ４０に対する加圧手段としての加圧機構について説明する。
【００５６】
図３に示すように、第１と第２の外部加熱ローラ５３，５４はその両端部側をそれぞれ図示しない断熱ブッシュとベアリングとを介して外部加熱支持フレ−ム３０に回転自由に軸受支持させてある。外部加熱支持フレ−ム３０は手前側と奥側の両端部を支持軸３１により外部加熱加圧ア−ム３２に回動自在に支持させてある。また、外部加熱支持フレ−ム３０はばね３３により支持軸３１を中心に矢印ａ方向に回動するように付勢されており、外部加熱ロ−ラ５３，５４が定着ロ−ラ４０から離間している（ａ）の状態では、外部加熱フレ−ム３０に設けた突き当て部３０ａが外部加熱加圧ア−ム３２に突き当たるようになっている。外部加熱加圧ア−ム３２は図示しない定着器フレ−ムに対し、支持軸３４を中心に回動自在になっている。そして外部加熱加圧ア−ム３２の自由端側には外部加熱加圧ばね３５が設けてあり、支持軸３４を中心に矢印ｂ方向に回動するように付勢されている。
【００５７】
そして、第１と第２の外部加熱ロ−ラ５３，５４が定着ロ−ラ４０に対し当接した（ｃ）の状態において、外部加熱加圧ばね３５とばね３３により外部加熱ロ−ラ５３，５４は定着ロ−ラ４０に加圧される構成になっている。外部加熱ロ−ラ５３，５４は定着ローラ４０に対して、総圧力約３９２Ｎ（約４０ｋｇ）で圧接され、定着ローラ４０の回転に従動して回転する。そして外部加熱ロ−ラ５３，５４と定着ロ−ラ４０との当接ニップ（接触長さ）Ｎ５３，Ｎ５４はそれぞれ約５ｍｍになり、２本のロ−ラ５３，５４を合わせると１０ｍｍのニップがとれるようになっている。
【００５８】
（２−３）外部加熱部材の着脱構成
次に、第１と第２の外部加熱部材５３，５４の着脱手段としての着脱機構について図３を用いて説明する。上記のように、外部加熱加圧ア−ム３２は支持軸３４を中心に回動自在になっており、その外部加熱ア−ム３２の自由端部には圧解除ア−ム３６の先端が当接している。圧解除ア−ム３６は回動軸３６ａを中心に回動自在になっている。
【００５９】
（ｃ）のように、第１と第２の外部加熱ロ−ラ５３，５４の定着ロ−ラ４０に対する加圧時には、圧解除ア−ム３６は外部加熱加圧ア−ム３２と離間しており、第１と第２の外
部加熱ロ−ラ５３，５４を定着ロ−ラ４０から離間させる時には、（ａ）のように、圧解除ア−ム３６を回転させて加圧ア−ム３２を上方に押し上げる構成になっている。圧解除ア−ム３６は制御装置４３（図２）で制御される回動手段Ｍにより回動される。回動手段Ｍは、公知の技術であるバネクラッチ、モ−ター等を利用して構成される。
【００６０】
ここで、外部加熱ロ−ラ５３，５４が離間状態から加圧状態になるまでの動作を図３の（ａ）〜（ｃ）を用いて説明する。
【００６１】
（ａ）は、第１と第２の外部加熱ロ−ラ５３，５４が定着ロ−ラ４０から離間している状態、即ち、スタンバイ状態（画像形成の待機時）を示している。この状態から、画像形成装置へ画像形成開始信号（画像形成装置を複写機として使用する場合は液晶等の操作部よりスタートボタンが押されることにより信号が生ずる。また、画像形成装置をパーソナルコンピュータなどの外部機器とネットワーク接続されたプリンタとして使用する場合は前記外部機器からの印刷命令により信号が生ずる）が入力されると、画像形成装置内の各種画像形成機器の画像形成準備動作が開始され、定着装置の定着準備動作も開始される。
【００６２】
そして、定着準備動作が開始され、定着ローラ、加圧ローラ、２つの外部加熱ローラの温度が定着を開始するに足りる温度に達すると、定着動作が開始される。なお、本例では、第４の画像形成部の感光体への画像露光開始タイミングを基に定着動作を開始するように構成されている。詳細には、第４の画像形成部の感光体への露光開始タイミングから所定時間経過した後、上記着脱機構の動作を開始させるように制御している。
【００６３】
また、中間転写体の２次転写部への記録材の搬送タイミング、即ち、レジストローラの搬送開始タイミングもこの画像露光開始タイミングを基に行われるように構成されている。
【００６４】
即ち、圧解除ア−ム３６を矢印ｃ方向に回動させ、外部加熱加圧ア−ム３２が矢印ｂ方向に回動し、外部加熱支持フレ−ム３０、即ち第１と第２の外部加熱ロ−ラ５３、５４が定着ロ−ラ４０の方向に移動を開始する。
【００６５】
そして、（ｂ）のように、先ず第１の外部加熱ロ−ラ５３が定着ロ−ラ４０に当接し、該第１の外部加熱ロ−ラ５３の熱が定着ロ−ラ４０へ移動するようになる。この状態においては、該第１の外部加熱ロ−ラ５３はばね３３により定着ロ−ラ４０に対して加圧されている。
【００６６】
更に圧解除ア−ム３６が矢印ｃ方向に回動すると、外部加熱支持フレ−ム３０が回動軸３１を中心に矢印ｄ方向に回動し、（ｃ）のように、第２の外部加熱ロ−ラ５４も定着ロ−ラ４０に加圧当接した状態になり、該第２の外部加熱ロ−ラ５４の熱も定着ロ−ラ４０へ移動するようになり加圧動作が終了する。この（ｃ）の状態において、第１と第２の外部加熱ロ−ラ５３，５４は外部加熱加圧ばね３５とばね３３により定着ロ−ラ４０に加圧される。
【００６７】
すなわち、圧解除ア−ム３６が矢印ｃ方向に回動されることで、先ず第１の外部加熱ロ−ラ５３が定着ロ−ラ４０に対し当接し、次に所定の時間を置いて第２の外部加熱ロ−ラ５４も定着ロ−ラ４０に対し当接する構成になっている。
【００６８】
制御回路部３４は、定着動作開始時に、回動手段Ｍにより圧解除ア−ム３６を矢印ｃ方向に回動させてａ）→（ｂ）→（ｃ）の動作を実行させて、定着ロ−ラ４０に対して、先ず第１の外部加熱ロ−ラ５３を、次に第２の外部加熱ロ−ラ５４を順次に当接させた状態にする。
【００６９】
また、制御回路部３４は、定着動作終了時には、回動手段Ｍにより圧解除ア−ム３６を矢印ｃ方向とは逆方向に回動させて、（ａ）→（ｂ）→（ｃ）とは逆の動作を実行させて、始めの（ａ）の状態、すなわち、第１と第２の外部加熱ロ−ラ５３，５４が共に定着ロ−ラ４０から離間している状態に戻し、つぎの定着動作開始時までその状態を保持させる。
【００７０】
（２−４）比較実験
１）第１と第２の外部加熱部材５３，５４が同時に定着ロ−ラ４０に当接することにより、定着ニップ部温度が上昇をしている最中に記録材Ｐの先端が定着ニップ部Ｎに進入する外部加熱部材当接制御手段を設けた場合。
【００７１】
２）外部加熱ロ−ラがない場合。
【００７２】
３）第１の外部加熱ローラ５３、第２の外部加熱ローラ５４が所定の時間を置いて順次定着ロ−ラ４０に当接加圧した場合。即ち、記録材がニップ部へ到達する直前に外部加熱ローラ５３を定着ローラ４０に当接させる。
【００７３】
上記１）、２）、３）の３つの各場合における定着ローラ４０の表面の温度変化を比較する実験を行った。その結果を図５に示す。
【００７４】
なお、図５において、横軸は時間（秒）であり、縦軸は定着ニップ部温度（定着ニップ部Ｎでの定着ローラ４０の表面温度）（℃）である。
【００７５】
ここで、第１と第２の外部加熱ローラ５３、５４は外径が３０ｍｍで、３ｍｍの厚みを持った中空のアルミ棒であり、定着ローラ４０と該外部加熱ローラ５３、５４とが形成するニップ部Ｎ５３、Ｎ５４をそれぞれ回転方向に４ｍｍの幅を有して構成したものである。
【００７６】
また、定着ローラ４０のハロゲンヒータ４０ａが１２００Ｗで、外部加熱ローラ５３、５４のハロゲンヒータ５３ａが５００Ｗ、５４ａが５００Ｗで構成し、記録材Ｐの紙搬送速度は３００ｍｍ／ｓｅｃ、記録材は２５０ｇ／ｍ２をもちいて実験をおこなった。なお、外部加熱ロ−ラのヒ−タ−ワッテジは、２５０ｇ／ｍ２の記録材が３００ｍｍ／ｓｅｃで連続通紙しても、定着ロ−ラ表面温度が維持されるワッテージに設定してある。
【００７７】
図５では、記録材Ｐが定着ニップ部Ｎに突入するポイントをＡ、第１と第２の２本の外部加熱ロ−ラ５３，５４が定着ロ−ラ４０に同時に当接開始するポイントをＢ’、定着ロ−ラ４０の外部加熱ロ−ラ５３，５４が同時に当接開始したポイントが定着ニップ部Ｎに最初に到達したポイントがＢ、第１（１本目）の外部加熱ロ−ラ５３が定着ロ−ラ４０に当接開始するポイントをＣ’、定着ロ−ラ４０の第１の外部加熱ロ−ラ５３が当接開始したポイントが定着ニップ部Ｎに最初に到達したポイントがＣ、第２（２本目）の外部加熱ロ−ラ５４が定着ロ−ラ４０に当接開始するポイントをＤ’、定着ロ−ラ４０の第２の外部加熱ロ−ラ５４が当接開始したポイントが定着ニップ部Ｎに最初に到達したポイントをＤで示している。
【００７８】
図５の（ａ）は、上記２）の、外部加熱部材５３，５４を設けない場合である。この場合では、記録材が定着ニップ部Ｎに突入（Ａ）すると、記録材Ｐに熱が奪われるため定着ローラ４０の表面温度が降下し、定着ヒ−タの熱応答が始まると、定着ローラ４０の表面温度は上昇して復帰する。定着ロ−ラの温度降下は約２０℃にもなり、グロス低下はもちろんのこと、低温オフセットが発生し定着不良になってしまう。
【００７９】
ここで、図４は画像加熱定着装置９の定着ニップ部Ｎの温度に対する記録材のグロス（光沢度）の変化（画像表面の粗さ）を示す図である。
【００８０】
上記実験では、定着不良が発生しない状態においてもグロスは３０％から１５％に低下したことになり、グロス変動が大きいため、定着された記録材は高画質にはなりえない。従って、高画質画像を形成するためにはグロス変動がレンジで２０％以下となるようにするのが好ましい。
【００８１】
図５の（ｂ）は、上記１）の、第１と第２の外部加熱ローラ５３、５４が同時に定着ロ−ラ４０に当接し、この２本の外部加熱ローラ５３、５４により加熱開始（当接開始）された領域が定着ニップ部Ｎを最初に通過した後に、記録材Ｐの搬送方向先端が定着ニップ部Ｎに到達するような場合である。この場合では、第１と第２の外部加熱ロ−ラ５３，５４が２３０℃で温調されており、記録材Ｐが定着ニップ部Ｎに到達する以前に第１と第２の外部加熱ロ−ラ５３，５４の双方が定着ロ−ラ４０に熱を供給開始するために、外部加熱ロ−ラ５３、５４が当接したポイントが定着ニップ部Ｎに最初に到達したポイントＢから定着ロ−ラ４０の温度が上昇を開始しはじめ、定着ロ−ラ４０の温度は記録材Ｐが定着ニップ部Ｎに到達するポイント（Ａ）まで上昇し続ける。
【００８２】
このような構成では、定着ロ−ラ４０の温度は１５℃弱上昇し、グロス変化が約１５％発生してしまい、記録材Ｐの搬送方向先端側のグロスが高くなってしまった。即ち、このような構成では、１枚目の記録材の搬送方向先端側と後端側とのグロス差が大きくグロスむらが発生してしまい低画質画像となってしまった。
【００８３】
図５の（ｃ）は、上記３）のように、本発明に従って第１と第２の外部加熱部材５３，５４を所定の時間を置いて定着ロ−ラ４０に順次当接するよう構成した場合である。すなわち、第１と第２の外部加熱部材５３，５４が順次当接することにより定着ロ−ラ４０の定着ニップ部Ｎの温度が上昇している最中（「Ｃ〜Ｄ」間）に、記録材先端が定着ニップ部Ｎに到達するように記録材の搬送タイミングを制御する場合である。
【００８４】
このような構成では、記録材が定着ニップ部Ｎに到達する以前に第１（１本目）の外部加熱ロ−ラ５３が定着ロ−ラ４０に熱を供給開始するために、定着ロ−ラ４０の第１の外部加熱ロ−ラ５３が当接開始したポイントが定着ニップ部Ｎに最初に到達したポイントＣから定着ロ−ラの温度が上昇を開始し、そして定着ロ−ラ４０の温度は記録材Ｐが定着ニップ部Ｎに到達するポイント（Ａ）まで上昇し続ける。
【００８５】
しかし、第１と第２の２本の外部加熱部材５３，５４を同時に定着ロ−ラ４０に加圧／当接した図５の（ｂ）の場合と比較して、記録材Ｐが定着ニップ部Ｎに到達した時点での定着ロ−ラ４０の温度上昇率は低くなり、定着ロ−ラ４０の温度上昇は４℃に抑えられ、記録材Ｐの搬送方向先端側と後端側のグロスが大きく異なってしまうのを防止することができ高画質画像を得ることができた。
【００８６】
これは、記録材先端が定着ニップ部Ｎに到達すると、第１（１本目）の外部加熱ロ−ラ５３では定着ロ−ラ４０に与える熱量が小さいために、記録材Ｐに熱が奪われ定着ローラ４０の表面温度が降下し、第２（２本目）の外部加熱ロ−ラ５４が当接したポイントが定着ニップ部Ｎに最初に到達したポイントＤを過ぎると、第１と第２の外部加熱ロ−ラ５３、５４から定着ロ−ラ４０に与える熱量がたりるようになるため、定着ロ−ラ４０の温度が所望の温調温度（本例では１６５℃）に回復していく。即ち、複数の記録材へ画像形成を高画像生産性を維持しつつ、定着ロ−ラ４０の温度降下は定着ロ−ラ温度１６５℃と比較して約３℃になり定着ロ−ラ表面温度の降下をかなり抑制することが出来ることが判明した。
【００８７】
以上のように、本実施形態の外部加熱部材当接制御手段（図５の（ｃ）の場合）を用いることにより、定着ロ−ラ４０の温度変化はレンジで約７℃に抑えることが可能になり、グロス変化は約８％に抑えられ、高画質で高生産性が可能となることが判明した。
【００８８】
なお、本例では、画像形成速度（定着速度）が非常に高速度であることから、記録材やトナーによる定着ローラ４０の温度低下を補うための外部加熱部材として２つのローラ５３、５４を用いていることで、複数の記録材を連続してニップ部に通紙して定着を施す連続画像形成ジョブに対応できるように構成されている。
【００８９】
さらに、上述したように、外部加熱部材５３、５４は、定着ローラ４０の温度低下を補うためのものであるので定着ローラ４０の温調温度よりも高い温度に温調温度が設定されており、このような外部加熱部材を定着ローラに当接してから記録材が定着ニップ部を通過するまでの時間が長過ぎると、定着ローラ４０の表面温度が上昇し過ぎてしまい、定着不良の原因となってしまう。
【００９０】
そこで、１本目の外部加熱ローラ５３が定着ローラ４０に当接してから所定時間以内に、即ち、この外部加熱ローラ５３により定着ローラ４０の外面温度（ニップ部における）が温調温度（１６５℃）よりも所定の温度、具体的には１０℃上昇するまでの時間以内に、記録材先端が定着ニップ部Ｎに突入開始するように制御するのが好ましい。
【００９１】
この上昇温度１０℃は上述したグロスむらに対処するための時間であるので、本発明はこのような数値に限定されることはなく、装置個々に適正な数値とすれば良いことはもちろんである。
【００９２】
そして、記録材先端が定着ニップ部Ｎに突入してから所定時間以内に、即ち、定着ローラ４０の外面温度が温調温度よりも所定の温度、具体的には１０℃低下してしまう時間以内に、２本目の外部加熱ローラ５４を定着ローラ４０に当接開始させるのが好ましい。
【００９３】
同様に、この低下（下降）温度１０℃は上述したグロスむらに対処するための時間であるので、本発明はこのような数値に限定されることはなく、装置個々に適正な数値とすれば良いことはもちろんである。
【００９４】
なお、本例では、外部加熱部材である第１と第２の外部加熱ローラ５３、５４が、定着部材対である定着ローラ４０に対する当接／退避動作を、記録材Ｐが搬送されるタイミング（定着ローラ４０と加圧ローラ４１との定着ニップ部に進入するタイミング）に対応して行うために、最下流の第４の画像形成部（画像形成ステ−ション）Ｐｄの画像書き出しタイミング（感光体への露光開始タイミング）をトリガ−にして（基準タイミングにして）、第１と第２の外部加熱ローラ５３、５４の定着ローラ４０に対する当接開始タイミングの制御を行った。
【００９５】
また、複数の記録材への連続画像形成ジョブの最後の記録材への定着処理が終了すると、第１と第２の外部加熱ローラ５３、５４は、定着ローラ４０から直ちに退避するように制御される。
【００９６】
尚、外部加熱部材として外部加熱ローラ５３、５４を用いる例を上述したが、ローラの他に、樹脂、ゴム、金属等で構成される定着ローラ４０に従動して回転するベルト状のものを用いて構成することも可能である。
【００９７】
また、外部加熱部材としての外部加熱ローラ５３、５４を定着部材対としての定着ローラ４０に対して当接／退避可能に構成した場合について説明したが、他の構成として、外部加熱ローラ５３、５４が定着部材対としての加圧ローラ４１に対して当接／退避可能に構成することでも良い。
【００９８】
また、定着部材対として定着ローラ４０、加圧ローラ４１からなる２本のローラ系で構成したが、ローラの他にベルト状のものを用いて構成しても良い。
【実施例２】
【００９９】
図６を用いて実施例２を説明する。本実施例は、定着動作開始時、第１と第２の外部加熱ローラ５３、５４の定着ローラ４０に対する当接圧を順次に大きくする構成の定着装置である。
【０１００】
本実施例における外部加熱部材の加圧構成・着脱構成は、実施例１の図３のものとは、ばね３３がない点が異なっているだけで、その他の構成は同じである。
【０１０１】
図６の（ａ）は、第１と第２の外部加熱ロ−ラ５３，５４が定着ロ−ラ４０から離間している状態を示しており、その状態から圧解除ア−ム３６が矢印ｃ方向に回動されることで、外部加熱加圧ア−ム３２が矢印ｂ方向に回動し、外部加熱支持フレ−ム３０、即ち第１と第２の外部加熱ロ−ラ５３、５４が定着ロ−ラ４０の方向に移動を開始する。
【０１０２】
そして、本実施例の場合は、第１と第２の外部加熱ロ−ラ５３，５４がほぼ同時に定着ロ−ラ４０に対して当接するが、第１の外部加熱ロ−ラ５３の当接圧が第２の外部加熱ロ−ラ５４の当接圧より大きい状態で当接する。更に圧解除ア−ム３６が矢印ｃ方向に回動されるにつれてばね３５の押圧力により、（ｂ）のように、第１の外部加熱ロ−ラ５３の当接圧と第２の外部加熱ロ−ラ５４の当接圧が順次に増大していき、（ｃ）のように、圧解除ア−ム３６が外部加熱加圧ア−ム３２から離間した状態においては当接圧は最大となり、第１の外部加熱ロ−ラ５３の当接圧と第２の外部加熱ロ−ラ５４の当接圧はほぼ同じ状態になる。
【０１０３】
制御回路部３４は、定着動作開始時に、回動手段Ｍにより圧解除ア−ム３６を矢印ｃ方向に回動させて（ａ）→（ｂ）→（ｃ）の動作を実行させて、第１と第２の外部加熱ローラ５３、５４の定着ローラ４０に対する当接圧を順次に大きくして定着ローラ４０に当接させる。
【０１０４】
また、制御回路部３４は、定着動作終了時には、回動手段Ｍにより圧解除ア−ム３６を矢印ｃ方向とは逆方向に回動させて、（ａ）→（ｂ）→（ｃ）とは逆の動作を実行させて、始めの（ａ）の状態、すなわち、第１と第２の外部加熱ロ−ラ５３，５４が共に定着ロ−ラ４０から離間している状態に戻し、つぎの定着動作開始時までその状態を保持させる。
【０１０５】
上記の本実施例２においては、（ｂ）の状態のように圧解除ア−ムを保つことにより外部加熱ロ−ラの加圧力を制御し、それにより外部加熱ロ−ラのニップ長を制御して実施例１と同様の効果が得られるように構成している。
【０１０６】
つまり、（ｂ）の外部加熱ロ−ラ５３，５４の総ニップ長をＷ１＋Ｗ２、（ｃ）の外部加熱ロ−ラ５３，５４の総ニップ長をＷ３＋Ｗ４とすると、（Ｗ１＋Ｗ２）＜（Ｗ３＋Ｗ４）の関係になっている。また、Ｗ１＋Ｗ２のニップ長は定着条件によりよりことなるが、実施例１同様にＷ１＋Ｗ２＝（Ｗ３＋Ｗ４）／２が望ましい。
【０１０７】
上記構成にすることにより、実施例１と同様に厚紙の生産性を大幅に向上させることが可能であるとともに、カラー画像のグロス変動（光沢むら）がない高画質のカラー画像を得ることが可能な定着装置を提供できるようになる。
【０１０８】
ここで、本発明の定着装置には、未定着画像を仮定着する像加熱装置、画像を担持した記録媒体を再加熱してつや等の表面性を改質する像加熱装置も包含される。
【図面の簡単な説明】
【０１０９】
【図１】画像形成装置例の概略構成図である。
【図２】定着装置の概略構成図である。
【図３】実施例１の定着装置における外部加熱部材の加圧構成・着脱構成の説明図である。
【図４】定着ロ−ラ温度とグロスとの関係を示した図である。
【図５】定着ロ−ラ温度推移を示した図である。
【図６】実施例２の定着装置における外部加熱部材の加圧構成・着脱構成の説明図である。
【符号の説明】
【０１１０】
４０・・定着ロ−ラ、４１・・加圧ロ−ラ、５３，５４・・外部加熱ロ−ラ、３０・・外部加熱フレ−ム、３１・・外部加熱加圧ア−ム、３５・・外部加熱加圧ばね、３６・・圧解除ア−ム
【図２】
2005316421.tif 000003
【図５】
2005316421.tif 000004
【図１】
2005316421.tif 000005
【図３】
2005316421.tif 000006
【図４】
2005316421.tif 000007
【図６】
2005316421.tif 000008